(57)【要約】【課題】ドットクロック信号と表示データ信号を共通で、ドットクロック周波数が異なる２つの表示装置に表示する。【解決手段】ドットクロック信号の立下りのタイミングで表示データ信号を保持し第１周波数に同期して表示する第１表示部と、ドットクロック信号の立上りのタイミングで表示データ信号を保持し第２周波数に同期して表示する第２表示部と、第１クロックと第２クロックとが重畳されたドットクロック信号を第１表示部と第２表示部に送信し、記表示データ信号を第１表示部及び第２表示部に送信する表示信号出力部と、を備え、ドットクロック信号は、第１クロックに同期した立下りが連続で２回以上続く場合、１回目の立下りタイミングのみ立ち下がるとともに、第２クロックに同期した立上りが連続して２回以上続く場合、１回目の立上りタイミングのみ立ち上がる。【選択図】図１
2012083638.tif 000002
【特許請求の範囲】
【請求項１】
ドットクロック信号と表示データ信号の入力を受け、前記ドットクロック信号の立下りのタイミングで前記表示データ信号を保持し、保持した第１表示データを第１周波数に同期して表示する第１表示部と、
前記ドットクロック信号と前記表示データ信号の入力を受け、前記ドットクロック信号の立上りのタイミングで前記表示データ信号を保持し、保持した第２表示データを第２周波数に同期して表示する第２表示部と、
前記第１周波数の第１クロックを出力する第１タイミング出力部と、
前記第２周波数の第２クロックを出力する第２タイミング出力部と、
前記第１クロックと前記第２クロックとが重畳された前記ドットクロック信号を前記第１表示部及び前記第２表示部に送信し、前記第1表示データが前記ドットクロック信号の立下りタイミングに対応するとともに前記第２表示データが前記ドットクロック信号の立上りタイミングに対応する前記表示データ信号を、前記第１表示部及び前記第２表示部に送信する表示信号出力部と、を備え、
前記ドットクロック信号は、前記第１クロックに同期した立下りが連続で２回以上続く場合、１回目の立下りタイミングのみ立ち下がるとともに、前記第２クロックに同期した立上りが連続して２回以上続く場合、１回目の立上りタイミングのみ立ち上がる携帯表示装置
【請求項２】
請求項１に記載の携帯表示装置であって、
前記表示データ信号は、前記第１クロックに同期した立下りが連続で２回以上続く場合、１回目の立下りタイミングのみ送信し、
前記第２クロックに同期した立上りが連続して２回以上続く場合、１回目の立上りタイミングのみ送信する携帯表示装置。
【請求項３】
請求項１又は請求項２に記載の携帯表示装置であって、
前記ドットクロック信号は、前記表示信号出力部と前記第１表示部と前記第２表示部とを電気的に接続された信号線によって送信される携帯表示装置。
【請求項４】
請求項１から請求項３のいずれか１項に記載の携帯表示装置であって、
前記表示データ信号は、前記表示信号出力部と前記第１表示部と前記第２表示部とを電気的に接続された信号線によって送信される携帯表示装置。
【発明の詳細な説明】
【技術分野】
【０００１】
本発明は、携帯電話機、携帯情報端末、PHS端末等の携帯端末装置に関する。
【背景技術】
【０００２】
従来より、携帯端末装置に備えられた２つの表示部に同時に画像を表示する手段として、２つの表示部へのドットクロック信号と表示データ信号をそれぞれ共通とした携帯端末装置が知られている（例えば、特許文献１参照）。
【０００３】
しかしながら、上記従来の携帯端末装置にあっては、ドットクロックの周波数が同じである２つの表示装置に対してのみ同時に表示することが可能であり、ドットクロックの周波数が異なる２つの表示装置に対しては同時に表示することはできなかった。
【先行技術文献】
【特許文献】
【０００４】
【特許文献１】特開２０１０−１１３１３８号公報
【発明の概要】
【発明が解決しようとする課題】
【０００５】
本発明は、上記従来の事情に鑑みてなされたものであって、２つの異なる周波数のクロックを重畳したドットクロックを２つの表示装置に送信することにより、ドットクロック信号と表示データ信号をそれぞれ共通とした構成で、ドットクロックの周波数が異なる２つの表示装置に対して同時に表示することができる携帯端末装置を提供することを目的とする。
【課題を解決するための手段】
【０００６】
本発明の携帯端末装置は、ドットクロック信号と表示データ信号の入力を受け、前記ドットクロック信号の立下りのタイミングで前記表示データ信号を保持し、保持した第１表示データを第１周波数に同期して表示する第１表示部と、前記ドットクロック信号と前記表示データ信号の入力を受け、前記ドットクロック信号の立上りのタイミングで前記表示データ信号を保持し、保持した第２表示データを第２周波数に同期して表示する第２表示部と、前記第１周波数の第１クロックを出力する第１タイミング出力部と、前記第２周波数の第２クロックを出力する第２タイミング出力部と、前記第１クロックと前記第２クロックとが重畳された前記ドットクロック信号を前記第１表示部及び前記第２表示部に送信し、前記第1表示データが前記ドットクロック信号の立下りタイミングに対応するとともに前記第２表示データが前記ドットクロック信号の立上りタイミングに対応する前記表示データ信号を、前記第１表示部及び前記第２表示部に送信する表示信号出力部と、を備え、
前記ドットクロック信号は、前記第１クロックに同期した立下りが連続で２回以上続く場合、１回目の立下りタイミングのみ立ち下がるとともに、前記第２クロックに同期した立上りが連続して２回以上続く場合、１回目の立上りタイミングのみ立ち上がる。
【０００７】
この構成により、２つの異なる周波数のクロックを重畳したドットクロックを送信することで、ドットクロックの周波数が異なる２つの表示装置に送信するドットクロック信号と表示データ信号をそれぞれ共通とし、ドットクロックの周波数が異なる２つの表示装置に対して同時に表示することができる。
【０００８】
また、本発明の携帯表示装置は、前記表示データ信号は、前記第１クロックに同期した立下りが連続で２回以上続く場合、１回目の立下りタイミングのみ送信し、前記第２クロックに同期した立上りが連続して２回以上続く場合、１回目の立上りタイミングのみ送信する。
【０００９】
この構成により、表示データの送信が必要なタイミングでのみ表示データを送信することで、表示データの送信が不用なタイミングでの表示データ送信をマスクし、表示データの送信回数を削減することができる。
【００１０】
また、本発明の携帯表示装置は、前記ドットクロック信号は、前記表示信号出力部と前記第１表示部と前記第２表示部とを電気的に接続された信号線によって送信される。
【００１１】
この構成により、表示信号出力部から電気的に接続された２つの表示装置に対してドットクロック信号を送信することで、電気的に接続された２つの表示装置に送信するドットクロック信号を共通とし、電気的に接続された２つの表示装置に対して同時に表示することができる。
【００１２】
また、本発明の携帯表示装置は、前記表示データ信号は、前記表示信号出力部と前記第１表示部と前記第２表示部とを電気的に接続された信号線によって送信される。
【００１３】
この構成により、表示信号出力部から電気的に接続された２つの表示装置に対して表示データ信号を送信することで、電気的に接続された２つの表示装置に送信する表示データ信号を共通とし、電気的に接続された２つの表示装置に対して同時に表示することができる。
【発明の効果】
【００１４】
本発明によれば、ドットクロック信号と表示データ信号をそれぞれ共通とした構成で、ドットクロックの周波数が異なる２つの表示装置に対して同時に表示することができる携帯端末装置を提供することができる。
【図面の簡単な説明】
【００１５】
【図１】本発明の実施の形態を説明するための携帯端末装置の概略構成を示すブロック図
【図２】本発明の実施の形態を説明するためのドットクロック信号１０の動作を示すタイミングチャート
【図３】本発明の実施の形態を説明するためのタイミング調整部４の動作を示すタイミングチャート
【発明を実施するための形態】
【００１６】
以下に、本発明の携帯端末装置の実施の形態を図１から図３を参照して説明する。
【００１７】
（実施の形態）
図１は、本発明の実施の形態を説明するための携帯端末装置1の概略構成を示すブロック図である。同図に示すように、本実施の形態の携帯端末装置１は、第１タイミング出力部２と、第２タイミング出力部３と、タイミング調整部４と、表示信号出力部５と、表示データ記憶部６と、第１表示部７と、第２表示部８とを備える。
【００１８】
第１タイミング出力部２は第１周波数の第１クロック１１を出力し、第２タイミング出力部３は第２周波数の第２クロック１２を出力する。表示信号出力部５は第１クロック１１と第２クロック１２を重畳したドットクロック信号１０を第１表示部７と第２表示部８に送信し、表示データ記憶部６に記憶される第１表示データをドットクロック信号１０の立下りタイミングに対応するとともに表示データ記憶部６に記憶される第２表示データをドットクロック信号１０の立上りタイミングに対応する表示データ信号９を第１表示部７と第２表示部８に送信する。第１表示部７はドットクロック信号１０と表示データ信号９を受け、ドットクロック信号１０の立下りのタイミングで第１表示データを保持し、保持した第１表示データを第１周波数に同期して表示する。第２表示部８はドットクロック信号１０と表示データ信号９を受け、ドットクロック信号１０の立上りのタイミングで第２表示データを保持し、保持した第２表示データを第２周波数に同期して表示する。タイミング調整部４では、第１クロック１１と第２クロック１２の入力を受け、ドットクロック信号１０の立下りと立上りのタイミングを調整する。
【００１９】
図２は、本発明の実施の形態を説明するためのドットクロック信号１０の動作を示すタイミングチャートである。以下、同図を参照して、第１クロック１１と第２クロック１２よりドットクロック信号１０と表示データ信号９を送信する方法について説明する。
【００２０】
表示信号出力部５は第１周波数である第１クロック１１と第２周波数である第２クロック１２を受け、ドットクロック信号１０と表示データ信号９を第１表示部７と第２表示部８に送信する。ドットクロック信号１０は、第１クロック１１の立下りのタイミングで立下り、第２クロック１２の立下りのタイミングで立上る。表示データ信号９はドットクロック信号１０の立下りタイミングでは第１表示データを、ドットクロック信号１０の立上りタイミングでは第２表示データを送信する。第１表示部７はドットクロック信号９の立下りのタイミングで表示データ信号９を保持することにより、第１表示データを第１周波数に同期して表示する。第２表示部８ではドットクロック信号９の立上りのタイミングで表示データ信号９を保持することにより、第２表示データを第２周波数に同期して表示する。
【００２１】
図３は、本発明の実施の形態を説明するためのタイミング調整部４の動作を示すタイミングチャートである。以下、同図を参照して、タイミング調整部４の動作について説明する。
【００２２】
タイミング調整部４は、第１タイミング出力部２より第１周波数である第１クロック１１を、第２タイミング出力部３より第２周波数である第２クロック１２を受け、ドットクロック信号１０の立下りと立上りのタイミングを調整する。同図のように第２クロック１２のタイミングが連続で２回以上続く場合、タイミング調整部４は、２回目以降のタイミングをマスクすることにより、ドットクロック信号１０は１回目の立上りタイミングのみ立ち上がる。第２クロック１２のタイミングが連続で２回以上続くとは、第２クロックの立下りの間に第１クロックの立下りを挟まない場合である。同様に第１クロック１１のタイミングが連続で２回以上続く場合、タイミング調整部４は、２回目以降のタイミングをマスクすることにより、ドットクロック信号１０は１回目の立下りタイミングのみ立ち下がる。第１クロック１１のタイミングが連続で２回以上続くとは、第１クロックの立下りの間に第２クロックの立下りを挟まない場合である。第１クロック１１のタイミングもしくは第２クロック１２のタイミングが連続で２回以上続かない場合には、タイミング調整部４は第１クロック１１も第２クロック１２をマスクしない。
【００２３】
ここで、第１クロック１１もしくは第２クロック１２がタイミング調整部４によってマスクされている期間では、第１表示データもしくは第２表示データが表示信号出力部５からの送信される表示データ信号９に対応しなくてもよい。
【００２４】
以上説明したように、実施の形態の携帯端末装置1によれば、２つの異なる周波数のクロックを重畳したドットクロックを送信することで、ドットクロックの周波数が異なる２つの表示装置に送信するドットクロック信号と表示データ信号をそれぞれ共通とし、ドットクロックの周波数が異なる２つの表示装置に対して同時に表示することができる。
【産業上の利用可能性】
【００２５】
本発明の携帯端末装置は、ドットクロック信号と表示データ信号をそれぞれ共通とした構成で、ドットクロックの周波数が異なる２つの表示装置に対して同時に表示することが可能であり、低コストと低消費電力を実現できるという効果を有し、携帯電話等に有用である。
【符号の説明】
【００２６】
１    携帯端末装置
２    第１タイミング出力部
３    第２タイミング出力部
４    タイミング調整部
５    表示信号出力部
６    表示データ記憶部
７    第１表示部
８    第２表示部
９    表示データ信号
１０    ドットクロック信号
１１    第１クロック
１２    第２クロック
【図１】
2012083638.tif 000003
【図２】
2012083638.tif 000004
【図３】
2012083638.tif 000005